(57)【要約】【課題】エレベータの省電力量を積極的に表示してエレベータの管理者などにエレベータによって達成できる省エネルギー量を明確にする。【解決手段】エレベータの電力系のエネルギーの流れを表示するエネルギーフロー表示部１０と、前記エレベータのかごと錘との移動状態を刻々表示する運転表示部３と、前記エレベータの力行時に前記かごをモータにより駆動すると共に、回生電力を有効に活用する制御システムにおける省電力量を表示する省エネルギー表示部３０とを有する監視盤１を備えた。【選択図】図１
2011225304.tif 000002
【特許請求の範囲】
【請求項１】
エレベータの電力系のエネルギーの流れを表示するエネルギーフロー表示部と、
前記エレベータのかごと錘との移動状態を刻々表示する運転表示部と、
前記エレベータの力行時に前記かごをモータにより駆動すると共に、回生電力を有効に活用する制御システムにおける省電力量を表示する省電力表示部と
を有する監視盤を備えたエレベータの電力表示装置。
【請求項２】
請求項１に記載のエレベータの電力表示装置において、
前記制御システムは、インバータにより前記モータを駆動すると共に、前記モータからの回生電力を電源に返還するように形成されている
ことを特徴とするエレベータの電力表示装置。
【請求項３】
請求項１に記載のエレベータの電力表示装置において、
前記制御システムは、前記回生電力を蓄電池に蓄え、前記モータが力行の際に前記蓄電池からの電力を前記モータに供給するように形成され、
前記省電力表示部に表示される省電力量は、前記蓄電池からの電力を前記モータに供給する電力である
ことを特徴とするエレベータの電力表示装置。
【請求項４】
請求項１から３までのいずれか１項に記載のエレベータの電力表示装置において、
前記省電力量が予め定められた基準に達するか否かを判断し、達しないと判断され場合には、前記エレベータを省エネルギーモードに設定して運転する省エネモード部を備えたことを特徴とするエレベータシステム。
【請求項５】
請求項４に記載のエレベータシステムにおいて、
前記省エネモード部からの省エネ信号により、前記エレベータの速度を低減する手段、前記モータを駆動する前記インバータのスイッチング周波数を低減する手段、前記かごの満員警告レベルを低減する手段、前記かごの満員運転阻止レベルを低減する手段、又はドア閉開始時間を延長する手段の少なくとも１つを有する制御部を備えたことを特徴とするエレベータシステム。
【発明の詳細な説明】
【技術分野】
【０００１】
本発明は、エレベータの電力表示装置及びこれを用いたエレベータシステムの改良に関するものである。
【背景技術】
【０００２】
従来のエレベータの監視装置として、エレベータの運行状態をディスプレイ表示し、表示内容をモニタしながら、運行管理を行い、建屋或いはエレベータの異常時など特定の運行指令を発するエレベータの監視装置において、エレベータのかご内乗客の有無または人数を識別できる表示を設け、かご内乗客の人数をデジタル表示するものがある（例えば、特許文献１参照）。
【０００３】
上記エレベータの監視装置によれば、エレベータの運行状態を表示する表示装置の中にエレベータ乗客の有無、または人数を表示する手段を備えたことにより、エレベータ、建屋異常時の操作、指令を敏速、的確に行い、早急な乗客の救出を行うことができる。
【先行技術文献】
【特許文献】
【０００４】
【特許文献１】特開平１０−２３１０６８号公報
【発明の概要】
【発明が解決しようとする課題】
【０００５】
しかしながら、上記エレベータの監視装置には、かご内の状況を表示することができるものの、かご内の状況だけでなく、近年の環境意識の高揚などを背景にしてエレベータシステムとしての省エネルギー量を適切に表示し、エレベータの管理者等に対して省エネルギーを訴求する観点に欠けていることを見出した。
【０００６】
本発明は、上記のような課題を解決するためになされたもので、エレベータの省電力量を積極的に表示してエレベータの管理者などにエレベータによって達成できる省エネルギー量を明確にするエレベータの電力表示装置及びこれを用いたエレベータシステムを提供することを目的とするものである。
【課題を解決するための手段】
【０００７】
本発明に係るエレベータの電力表示装置は、エレベータの電力系のエネルギーの流れを表示するエネルギーフロー表示部と、前記エレベータのかごと錘との移動状態を刻々表示する運転表示部と、前記エレベータの力行時に前記かごをモータにより駆動すると共に、回生電力を有効に活用する制御システムにおける省電力量を表示する省電力表示部とを有する監視盤１を備えたものである。
【０００８】
また、本発明に係るエレベータシステムは、前記省電力量が予め定められた基準に達するか否かを判断し、達しないと判断され場合には、前記エレベータを省エネルギーモードに設定して運転する省エネモード部を備えたものである。
【発明の効果】
【０００９】
本発明によれば、エレベータの省電力量を積極的に表示してエレベータの管理者などにエレベータによって達成できる省エネルギー量を明確にし得るエレベータの電力表示装置及びこれを用いたエレベータシステムを得ることができる。
【図面の簡単な説明】
【００１０】
【図１】本発明の実施の形態１によるエレベータの監視盤の表示部を示す図である。
【図２】図１に示すエレベータの監視盤に表示するための制御ブロック図である。
【図３】図１に示すエレベータの監視盤の動作を示すフローチャートである。
【図４】本発明の実施の形態２によるエレベータの監視盤の表示部を示す図である。
【発明を実施するための形態】
【００１１】
実施の形態１．
本発明の実施の形態１を図１及び図２によって説明する。図１は、本発明の実施の形態１によるエレベータの監視盤の表示部を示す図、図２は、図１に示すエレベータの監視盤に表示するための制御ブロック図である。
【００１２】
図１において、エレベータの監視盤１が表示する対象のエレベータシステムは、エレベータの力行によりかご７をモータ５（巻上機を含む）により駆動すると共に、回生電力を電源に返還して省エネルギーを図るように形成されている。エレベータの監視盤１は、エレベータのかご７と錘９との移動状態を刻々表示する運転表示部３と、エレベータの電力系のエネルギーの流れを表示するエネルギーフロー表示部１０と、積算消費電力量を表示する電力表示部２０と、エレベータの力行時にかごをモータにより駆動すると共に、回生電力を有効に利用する制御システムにおける省電力量を表示する省エネルギー表示部３０と、省電力量が予め定められた基準に達するか否かを判断し、達しないと判断された場合には、エレベータを省エネルギーモードに設定して運連する省エネモード表示部５０とを有し、これらの表示部がＬＣＤなどで形成されている。
【００１３】
運転表示部３は、巻上機に吊り下げられたかご７と錘９との移動状態を刻々表示するように形成されている。エネルギーフロー表示部１０は、電力系のエネルギーの流れを主回路部と共に表示するように形成されており、主回路部は、回生付きコンバータ部１２からの電力がインバータ部１４を介してモータ５を駆動するように表示されている。
【００１４】
電力表示部２０は、エレベータの消費電力量を棒グラフ状に表示している。省エネルギー表示部３０は、電源に帰還される回生電力量を省エネルギー量として棒グラフ状に表示する省エネ電力量表示部３２と、省エネルギー量をＣＯ２削減量に変換して棒グラフ状に表示するＣＯ２削減量表示部３４と、予め定められた省エネルギーの目標達成量と現在の省エネルギー量とを比較して、未達成の場合に赤色に点灯し、達成の場合には青色に点灯する省エネ目標達成表示部３６とを有している。
【００１５】
省エネモード部５０は、省エネ目標達成表示部３６が赤色を点灯することにより、エレベータが省エネモードに移行したことを表示するように形成されている。
【００１６】
図２において、エレベータシステムは、電力検知部６０と、電力演算部７０と、省エネモード部８０と、かご内の荷重検出器８５と、制御部９０とを有している。電力検知部６０は、三相交流電源１１から回生付きコンバータ部１２への入力電力量を検知すると共に、回生付きコンバータ部１２から三相交流電源１１へ流れる回生電力量を検知するように形成されている。電力演算部７０は、電力検知部６０からの検知電力量により積算電力量を演算して消費電力表示部２０に表示する積算電力量演算部７２と、回生電力量を積算して省エネルギー電力量として省エネ電力表示部３２に表示すると共に、省エネルギー電力量をＣＯ２削減量に換算してＣＯ２削減量表示部３４に表示する省エネ電力量演算部７４とを有している。
【００１７】
省エネモード部８０は、省電力量が予め定められた基準に達するか否かを判定する判断部８２と、達しないと判断され場合には、エレベータを省エネルギーモードにして運転する省エネルギー運転設定部８４とを有している。制御部９０は、省エネモード部８４からの省エネ信号によりインバータ部１４をエレベータの速度を低減する手段、モータ５を駆動するインバータ部１４のスイッチング周波数を低減する手段、かご７の満員警告レベルを荷重検出器８５を用いて低減する手段、かご７の満員運転阻止レベルを低減する手段、又はドア閉開始時間を延長する手段での少なくとも一つを有している。
【００１８】
上記のように構成されたエレベータシステムの動作を図３に示すフローチャートに従って説明する。今、エレベータが運転を開始すると、電力検知部６０は、三相交流電源１１から回生付きコンバータ部１２へ流れる入力電力量を検知すると共に、回生付きコンバータ部１２から三相交流電源１１へ流れる回生電力量を検知する（ステップＳ１０１）。
【００１９】
次に、積算電力量演算部７２は、電力検知部６０からの検知電力量により積算電力量を演算して消費電力表示部２０に表示し（ステップＳ１０３）、省エネ電力量演算部７４は、回生電力量を積算して省エネルギー電力量として省エネ電力表示部３２に表示すると共に、省エネルギー電力量をＣＯ２削減量に換算してＣＯ２削減量表示部３４に表示する（ステップＳ１０５）。
【００２０】
判断部８２は、省電力量が予め定められた基準に達するか否かを判定し（ステップＳ１０７）、達しないと判断され場合に、省エネ運転設定部８４は、エレベータを省エネルギーモードにして制御部９０を介して運転する（ステップＳ１０９）。なお、ステップＳ１０７の判定において、達していると判断された場合には、エレベータを通常モードにより運転する（ステップＳ１１１）。
【００２１】
上記実施の形態１に係るエレベータの電力表示装置は、エレベータのかご７と錘９との移動状態を刻々表示する運転表示部３と、エレベータの電力系のエネルギーの流れを表示するエネルギーフロー表示部１０と、エレベータの力行によりかご７をモータ５により駆動すると共に、回生電力を有効に活用する制御システムにおける省電力量を表示する省エネルギー表示部（省電力表示部）３０とを有する監視盤１を備えている。
【００２２】
これにより、省エネルギー型の制御システムにおける省電力量を省電力表示部３０に表示できる。したがって、省エネルギー型の制御システムの省電力量を簡易に視認できるので、管理者等に省エネルギーの効果を訴え易い。
【００２３】
実施の形態２．
本発明の実施の形態２を図４によって説明する。図４は、本発明の実施の形態２によるエレベータの監視盤の表示部を示す図で、図４中、図１と同一符号は同一部分を示し説明を省略する。図４において、本エレベータシステムは、回生無しのコンバータ部１１２を有し、蓄電池１２０がコンバータ部１１２の出力、すなわち、インバータ部１４の入力に接続されることにより、モータ５が力行する際に、蓄電池１２０からも電力をインバータ部１４を介してモータ５に供給すると共に、モータ５からの回生電力をインバータ部１４を介して蓄電池１２０に充電できるように形成されている。
【００２４】
このように、本発明の実施の形態２は、エレベータの力行の際に、三相交流電源１１と蓄電池１２０とからモータ５により駆動すると共に、回生電力を蓄電池１２０に充電する本制御システムにおいて、回生電力を省電力量として表示する省エネルギー表示部３０と備えたものである。
【００２５】
これにより、省エネルギー型の制御システムにおける省電力量を省電力表示部３０に表示できる。したがって、省エネルギー型の制御システムの省電力量を簡易に視認できるので、管理者等に省エネルギーの効果を訴え易い。
【００２６】
上述した本発明の特徴を整理すると次のとおりである。
（１）本発明は、エレベータの電力系のエネルギーの流れを表示するエネルギーフロー表示部１０と、前記エレベータのかごと錘との移動状態を刻々表示する運転表示部３と、前記エレベータの力行時に前記かごをモータにより駆動すると共に、回生電力を有効に活用する制御システムにおける省電力量を表示する省電力表示部３０とを有する監視盤１を備える。
【００２７】
これにより、省エネルギー型の制御システムにおける省電力量を省電力表示手段に表示できる。したがって、省エネルギー型の制御システムの省電力量を簡易に視認できるので、管理者等に省エネルギーの効果を訴え易い。
【００２８】
（２）前記制御システムは、インバータにより前記モータを駆動すると共に、前記モータからの回生電力を電源に返還するように形成される。
【００２９】
したがって、省電力表示手段を管理者等が見ることによりエレベータの回生電力が有効に省エネルギーに寄与していることを視認できる。
【００３０】
（３）前記制御システムは、前記回生電力を蓄電池に蓄え、前記モータが力行の際に前記蓄電池からの電力を前記モータに供給するように形成され、前記省電力表示部３０に表示される省電力量は、前記蓄電池からの電力を前記モータに供給する電力である。
【００３１】
したがって、省電力表示手段を管理者等が見ることにより蓄電池からの電力をモータに供給する電力が省エネルギーに寄与していることを視認できる。
【００３２】
（４）前記省電力量が予め定められた基準に達するか否かを判断し、達しないと判断され場合には、前記エレベータを省エネルギーモードに設定して運転する省エネモード部８０を備える。
【００３３】
このようなエレベータシステムによれば、省電力量が予め定められた基準に達するか否かを判定し、達しないと判断され場合には、エレベータを省エネルギーモードにして運転する。これにより、エレベータシステムとして省エネルギー管理を適切にできる。
【００３４】
（５）省エネモード部からの省エネ信号により、エレベータの速度を低減する手段、モータを駆動するインバータのスイッチング周波数を低減する手段、かごの満員警告レベルを低減する手段、かごの満員運転阻止レベルを低減する手段、又はドア閉開始時間を延長する手段の少なくとも１つを有する制御部９０を備える。
【００３５】
このようなエレベータシステムによれば、省エネルギー運転手段により省エネルギーの達成が容易になる。
【符号の説明】
【００３６】
１  監視盤、３  運転表示部、５  巻上モータ、７  かご、９  錘、１０  エネルギーフロー部、３０  省エネルギー表示部、５０  省エネモード部。
【図１】
2011225304.tif 000003
【図２】
2011225304.tif 000004
【図３】
2011225304.tif 000005
【図４】
2011225304.tif 000006